【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
式（Ｉ）：
Ｍ１ａＭ２ｂＭ３ｃＤ１ｄＤ２ｅＤ３ｆＴ１ｇＴ２ｈＴ３ｉＱｊ  （Ｉ）
（式中：
Ｍ１＝Ｒ１Ｒ２Ｒ３ＳｉＯ１／２
Ｍ２＝Ｒ４Ｒ５Ｒ６ＳｉＯ１／２
Ｍ３＝Ｒ７Ｒ８Ｒ９ＳｉＯ１／２
Ｄ１＝Ｒ１０Ｒ１１ＳｉＯ２／２
Ｄ２＝Ｒ１２Ｒ１３ＳｉＯ２／２
Ｄ３＝Ｒ１４Ｒ１５ＳｉＯ２／２
Ｔ１＝Ｒ１６ＳｉＯ３／２
Ｔ２＝Ｒ１７ＳｉＯ３／２
Ｔ３＝Ｒ１８ＳｉＯ３／２
Ｑ＝ＳｉＯ４／２
（式中、Ｒ１、Ｒ２、Ｒ３、Ｒ５、Ｒ６、Ｒ８、Ｒ９、Ｒ１０、Ｒ１１、Ｒ１３、Ｒ１５、Ｒ１６は、脂肪族、芳香族、またはフッ素含有の、１〜およそ６０の炭素原子を有する一価の炭化水素ラジカルであり；
Ｒ４、Ｒ１２およびＲ１７は、イオン対を有し、そして式（ＩＩ）：
−Ａ−Ｉｘ−Ｍｎｙ＋；  （ＩＩ）
（式中、Ａは、二価の炭化水素基またはヒドロカルボノキシ基より選択される少なくとも一つの離間原子を有する離間基であり、
Ｉは、スルホン酸−ＳＯ３−、硫酸−ＯＳＯ３２−、カルボン酸−ＣＯＯ−、ホスホン酸−ＰＯ３２−、リン酸基−ＯＰＯ３２−等のイオン基であり、
Ｍは、水素、またはアルカリ金属、アルカリ土類金属、遷移金属、金属、金属複合体、第四級アンモニウム基およびホスホニウム基、有機カチオン、アルキルカチオン、カチオン性炭化水素、およびカチオン性バイオポリマーから独立して選択されるカチオン；または、
式（ＩＩＩ）：
−Ｒ’−ＮＲ’’２＋−Ｒ’’’−Ｉ  （ＩＩＩ）
（式中、Ｒ’が、１〜およそ２０の炭素原子を含有する二価の炭化水素ラジカルであり、Ｒ’’が、１〜およそ２０の炭素原子を含有する一価の炭化水素ラジカルであり、そして
Ｒ’’’が、２〜およそ２０の炭素原子を含有する二価の炭化水素ラジカルであり；
Ｉが、上記定義の通りである）を有する双性イオンであり、そして
Ｒ７、Ｒ１８は、各々独立して、ＯＲ２０、水素、不飽和の一価のラジカル、一価のエポキシ基含有ラジカル、一価の硫黄原子含有ラジカル、一価のオルガノシラン基、および一価の水酸基含有ラジカル、および一つまたはそれ以上のハロゲン部分、カルボン酸塩部分、イミン部分、イソシアネート部分、アミド部分、ニトリル部分、またはアルキル基部分以外を含有する三級アミン部分を含有する一価の炭化水素から選択される一価の炭化水素ラジカルであり、
Ｒ１４は、各々独立して、ＯＲ２０、不飽和の一価のラジカル、一価のエポキシ基含有ラジカル、一価の硫黄原子含有ラジカル、一価のオルガノシラン基、および一価の水酸基含有ラジカル、および一つまたはそれ以上のハロゲン部分、カルボン酸塩部分、イミン部分、イソシアネート部分、アミド部分、ニトリル部分、またはアルキル基部分以外を含有する三級アミン部分を含有する一価の炭化水素から選択される一価の炭化水素ラジカルであり、
Ｒ２０は、１〜およそ６０の炭素原子またはヘテロ原子を含有する一価の炭化水素ラジカルであり、
上付き文字ｘおよびｙは、独立して、１〜６であり、ｘは、ｎとｙの積である）であり；
下付き文字ａ、ｃ、ｄ、ｅ、ｆ、ｇ、ｈ、ｉおよびｊは、０または正の整数であり、但し、以下の制限を受ける：
ａ＋ｂ＋ｃ＋ｄ＋ｅ＋ｆ＋ｇ＋ｈ＋ｉ＋ｊの合計は、２以上であって、そして６０００以下であり、ｂ+ｅ＋ｈは、０を超え、そしてｃ＋ｆ+ｉは、０を超える）を有する、官能化イオン性シリコーン。
【請求項２】
Ｒ４、Ｒ１２およびＲ１７が、イオン対を有し、そして式（ＩＩ）：
−Ａ−Ｉｘ−Ｍｎｙ＋  （ＩＩ）
を有する一価のラジカルである、請求項１に記載の官能化イオン性シリコーン。
【請求項３】
Ｒ４、Ｒ１２、Ｒ１７が、式（ＩＩＩ）：
−Ｒ’−ＮＲ’’２＋−Ｒ’’’−Ｉ  （ＩＩＩ）
（式中、Ｉが、スルホン酸−ＳＯ３−、カルボン酸−ＣＯＯ−、ホスホン酸−ＰＯ３２−、−ＯＰＯ３２−リン酸基等のイオン基である）
を有する双性イオンである、請求項１に記載の官能化イオン性シリコーン。
【請求項４】
一価の炭化水素ラジカルが、メチル、エチル、ｎ−プロピル、イソプロピル、ｎ−ブチル、イソブチル、ｔｅｒｔ−ブチル、ｎ−ペンチル、イソペンチル、ネオペンチル、ｔｅｒｔ−ペンチル、ヘキシル、ヘプチル、オクチル、イソオクチル、２，２，４−トリメチルペンチル、ノニル、デシル、シクロアルキルラジカル、およびアリール基からなる群より独立して選択される、請求項１に記載の官能化イオン性シリコーン。
【請求項５】
シクロアルキルラジカルが、シクロペンチル、シクロヘキシル、シクロヘプチル、およびメチルシクロヘキシルラジカルからなる群より独立して選択される、請求項４に記載の官能化イオン性シリコーン。
【請求項６】
アリールラジカルが、フェニル、ナフチル；ｏ−、ｍ−およびｐ−トリル、キシリル、エチルフェニル、およびベンジルからなる群より独立して選択される、請求項４に記載の官能化イオン性シリコーン。
【請求項７】
二価の炭化水素基が、−（ＣＨＲ’）ｋＣ６Ｈ４（ＣＨ２）ｌ−、−ＣＨ２ＣＨ（Ｒ１Ｒ’）（ＣＨ２）ｋＣ６Ｈ４−、および−ＣＨ２ＣＨ（Ｒ’）（ＣＨ２）ｌＣ６Ｈ３Ｒ’’−（式中、Ｒ’は、水素、またはＲ１で定義され、Ｒ’’は、具体的におよそ１〜およそ２０の炭素原子の一価のラジカル、硫黄原子（単数又は複数）、窒素原子（単数又は複数）、酸素原子（単数又は複数）、または上記の原子の組み合わせを含有するラジカルであり、ｌは、０〜２０の値を有し、そしてｋは、０〜２０の値を有する）からなる群より選択されるアリーレン基である、請求項１に記載の官能化イオン性シリコーン。
【請求項８】
二価の炭化水素基が、式−（ＣＨＲ１９）ｍ−（式中、ｍは、１〜およそ２０の値を有し、そしてＲ１９は、水素、またはＲ１である）のアルキレン基である、請求項１に記載の官能化イオン性シリコーン。
【請求項９】
二価のヒドロカルボノキシ基が、−（ＣＨＲ１９）ｍ−（Ｏ−（ＣＨ（Ｒ１９）ＣＨ２−Ｏ）ｍ’−（ＣＨ２）ｌ（式中、Ｒ１９は、水素、またはＲ１であり、ｌは、１〜２０の値を有し、そしてｍは、０〜２０の値を有し、そしてｍ’は、０〜５０の値を有する）からなる群より選択される、請求項１に記載の官能化イオン性シリコーン。
【請求項１０】
式（ＩＩ）において、Ｍが、Ｌｉ、Ｎａ、Ｋ、Ｃｓ、Ｍｇ、Ｃａ、Ｂａ、Ｚｎ、Ｃｕ、Ｆｅ、Ｎｉ、Ｇａ、Ａｌ、Ｍｎ、Ｃｒ、Ａｇ、Ａｕ、Ｐｔ、Ｐｄ、Ｐｂ、Ｓｂ、Ｓｎ、ＲｕおよびＲｈ、またはその多価形状から独立して選択されるが、限定されない、請求項１に記載の官能化イオン性シリコーン。
【請求項１１】
Ｒ７、Ｒ１４およびＲ１８の各々が、式（Ｉ）〜（ＩＸ）：
【化１】
2015505334.tif 000001
2015505334.tif 000002
2015505334.tif 000003
（式中、Ｒ２１、Ｒ２６、Ｒ２９、Ｒ３０、Ｒ３３、Ｒ３４、Ｒ４０、Ｒ４６、Ｒ４７、Ｒ５２、Ｒ６３は、−Ｈ、−ＯＨ、−Ｒ６６、および１〜およそ６０の炭素原子を有する脂肪族／芳香族の一価の炭化水素から独立して選択され、
Ｒ２２、Ｒ２３、Ｒ２４、Ｒ２５、Ｒ２７、Ｒ２８、Ｒ３１、Ｒ３２、Ｒ３５、Ｒ３６、Ｒ３７、Ｒ３８、Ｒ３９、Ｒ４１、Ｒ４２、Ｒ４３、Ｒ４４、Ｒ４５、Ｒ４８、Ｒ５１、Ｒ５３、Ｒ５６、Ｒ５７、Ｒ５９、Ｒ６０、Ｒ６１、Ｒ６２は、水素、１〜およそ６０の炭素原子を有する脂肪族／芳香族の一価の炭化水素から独立して選択され、
Ｒ５８は、２〜およそ６０の炭素原子を有する脂肪族／芳香族の一価の炭化水素であり、
Ｒ４９、Ｒ５０、Ｒ５４、Ｒ５５は、−Ｈ、−ＣｔＨ２ｔＯＨ、および１〜およそ６０の炭素原子を有する脂肪族／芳香族の一価の炭化水素から独立して選択され、
式中、ｔは、正の整数であり、
Ｌは、ハロゲン、ＯＲ６４、−ＣＯ（Ｏ）Ｒ６５、−Ｎ＝ＣＲ６６２、−ＮＣＯ、−ＮＣ（Ｏ）Ｒ６７、−Ｃ≡Ｎ、−Ｎ≡Ｎおよび−ＮＲ６８２（式中、Ｒ６４、Ｒ６５、Ｒ６６、Ｒ６７、Ｒ６８は、水素、および１〜およそ６０の炭素原子を有するアルキル、アルケニル、シクロアルキルおよびアリールからなる群より独立して選択される）から独立して選択される一価のラジカルであり、
Ｚは、ハロゲン、ＯＲ６４Ａ、−ＣＯ（Ｏ）Ｒ６５、−Ｎ＝ＣＲ６６２、−ＮＣＯ、−ＮＣ（Ｏ）Ｒ６７、−Ｃ≡Ｎ、−Ｎ≡Ｎおよび−ＮＲ６８Ａ２（式中、Ｒ６５、Ｒ６６、Ｒ６７は、水素、および１〜およそ６０の炭素原子を有するアルキル、アルケニル、シクロアルキルおよびアリールからなる群より独立して選択され、そしてＲ６４Ａは、２〜およそ６０の炭素原子を有するアルキル、アルケニル、シクロアルキルおよびアリールからなる群より選択され、そしてＲ６８Ａは、２〜およそ６０の炭素原子を有するアルケニル、シクロアルキルおよびアリールからなる群より選択される）から選択される一価のラジカルであり、
Ｘは、−ＣＨＲ６５−、−Ｏ−、−ＮＲ６５−、および−Ｓ−結合から選択される二価のラジカルであり、
ＹおよびＢは、１〜およそ６０の炭素原子を含有する、直鎖、分枝状、環状炭化水素ラジカル、またはアラルキルラジカルから選択される二価のラジカルであり；
Ｒ６９は、水素、または１〜およそ２０の炭素原子またはヘテロ原子を有する一価のアルキルラジカルであり、
下付き文字ｎは、０、または０〜およそ６０の範囲の値を有する正の整数であり、
下付き文字ｏは、正の整数であり、そして１〜およそ６０の範囲の値を有し、下付き文字ｐ、ｑおよびｒは、０または正数であり、そして０〜およそ１００の範囲の値から独立して選択され、但し、ｐ＋ｑ＋ｒが１以上の制限を受け、そしてｓは、０、または０〜２の値を有する正の整数であり、ｔ、ｕ、ｖおよびｘは、０、またはｔ＋ｕ＋ｖ＋ｘが１以上の制限を受ける正の整数であり、そしてｗは、正の整数である）
の基から選択される一価の炭化水素ラジカルである、請求項１に記載の官能化イオン性シリコーン。
【請求項１２】
Ｒ６９が、１〜およそ１０の炭素原子を含有する一価のアルキルラジカル、またはアシル基である、請求項１１に記載の官能化イオン性シリコーン。
【請求項１３】
Ｒ６９が、エポキシ基、またはラジカルを含有するアミンである、１〜およそ８の炭素原子を含有する一価のアルキルラジカル、またはアシル基である、請求項１２に記載の官能化イオン性シリコーン。
【請求項１４】
Ｒ６９が、エポキシ基、またはラジカルを含有するアミンである、請求項１２に記載の官能化イオン性シリコーン。
【請求項１５】
イオン基が、スルホン酸基である、請求項１に記載の官能化イオン性シリコーン。
【請求項１６】
イオン基が、カルボン酸基である、請求項１に記載の官能化イオン性シリコーン。
【請求項１７】
イオン基が、リン酸基である、請求項２に記載の官能化イオン性シリコーン。
【請求項１８】
式（Ｉ）のシリコーンが、末端エポキシエーテル基を有するスルホン酸塩官能性ポリオルガノシロキサン、ペンダントエポキシエーテル基を有するスルホン酸塩官能性ポリオルガノシロキサン、ペンダントアルコキシシラン基を有するスルホン酸塩官能性ポリオルガノシロキサン、末端アルコキシシラン基を有するスルホン酸塩官能性ポリオルガノシロキサン、末端ビニル基を有するスルホン酸塩官能性ポリオルガノシロキサン、末端ポリエーテル基を有するスルホン酸塩官能性ポリオルガノシロキサン、末端水素化ケイ素基を有するスルホン酸塩官能性ポリオルガノシロキサン、および末端アクリレート基を有するスルホン酸塩官能性ポリオルガノシロキサンからなる群より選択される、請求項１に記載の官能化イオン性シリコーン。
【請求項１９】
式（Ｉ）のシリコーンが、末端エポキシエーテル基、ペンダントエポキシエーテル基、ペンダントアルコキシシラン基、末端アルコキシシラン基、末端ビニル基、ペンダントビニル基、末端ポリエーテル基、ペンダントポリエーテル基、末端水素化ケイ素基、ペンダント水素化ケイ素基、末端アクリレート基、およびペンダントアクリレート基からなる群より選択される、二つまたはそれ以上の官能基の組み合わせを有する、スルホン酸塩官能性ポリオルガノシロキサンである、請求項１に記載の官能化イオン性シリコーン。
【請求項２０】
組成物が、エラストマー、コポリマー、ゲル、およびエマルジョンからなる群より選択される形状である、請求項１に記載の官能化イオン性シリコーン。
【請求項２１】
組成物が、酸触媒開環重合、縮合反応、および付加反応の触媒として有用である、請求項１に記載の官能化イオン性シリコーン。
【請求項２２】
組成物が、原子移動ラジカル重合および可逆的付加開裂連鎖移動重合反応のマクロ開始剤として有用であり、そして官能化イオン性シリコーンを一つまたはそれ以上のブロックとして含有するブロックコポリマー組成物を提供し得る、請求項１に記載の官能化イオン性シリコーン。
【請求項２３】
請求項１に記載の官能化イオン性シリコーン、およびヘルスケア剤を含有する、ヘルスケア組成物。
【請求項２４】
ヘルスケア剤が、金属、金属イオン、生物活性剤、抗にきび剤、アンチエイジング剤、虫歯予防剤、抗真菌剤、抗菌剤、抗酸化剤、抗癌剤、抗ウィルス剤、抗炎症剤、抗凝固剤、止血剤、エクスフォリアント、ホルモン、ホルモン類似物質、酵素、タンパク質およびペプチド、医薬品化合物、バイオサイド、外用鎮痛薬、オーラルケア剤、オーラルケア薬品、酸化剤、還元剤、皮膚保護薬、精油、防虫剤、紫外線吸収剤、ソーラーフィルター、顔料、水和剤、ビタミン、およびそれらの組み合わせからなる群より選択される一つまたはそれ以上の添加剤を含有する、請求項２３に記載のヘルスケア組成物。
【請求項２５】
一つまたはそれ以上のドラッグデリバリーシステム、経皮パッチ、創傷治療パッチ、創傷包帯パッチ、傷跡削減用パッチ、経皮イオントフォレーシス、組織工学の基盤、抗菌デバイス、創傷管理デバイス、眼科用デバイス、生体挿入物、人工装具、および体内埋め込み物を更に含有する、請求項１に記載の官能化イオン性シリコーンを含有するヘルスケア製品。
【請求項２６】
一つまたはそれ以上の界面活性剤、乳化剤、溶媒、皮膚軟化剤、モイスチャー、保湿剤、顔料、着色料、香料、バイオサイド、保存料、キレート剤、抗酸化剤、抗菌剤、抗真菌剤、制汗剤、エクスフォリアント、ホルモン、ホルモン類似物質、酵素、タンパク質およびペプチド、医薬品化合物、ビタミン、α−ヒドロキシ酸、β−ヒドロキシ酸、レチノール、ナイアシンアミド、スキンライトニング剤、塩、電解質、アルコール、ポリオール、紫外線吸収剤、植物抽出物、有機油、ワックス、増粘剤、粒状充填剤、シリコーン、粘土、可塑剤、閉塞剤、感覚向上剤、エステル、樹脂、膜形成剤、膜形成剤または高屈折率材料を更に含有する、請求項１に記載の官能化イオン性シリコーンを含有するパーソナルケア製品。
【請求項２７】
一つまたはそれ以上のスプレー、スティックおよびロールオン式製品を含む、制汗／デオドラント、シェービング製品、スキンローション、保湿剤、化粧水、バス製品、洗浄剤製品、シャンプー、コンディショナー、一体化シャンプー／コンディショナー、ムース、スタイリングジェル、ヘアスプレー、毛髪染料、ヘアカラー製品、ヘアブリーチ、ウェーブ製品、ヘアストレートナー、マニキュア液、マニキュアの除光液、ネイルクリームおよびローション、甘皮柔軟剤、日焼止め、防虫剤、アンチエイジング製品、口紅、ファンデーション、フェイスパウダー、アイライナー、アイシャドー、ほお紅、化粧品、マスカラ、保湿製剤、ファンデーション、身体および手用製剤、スキンケア製剤、顔および首用製剤、トニック、整髪料、整髪補助剤、エアロゾル固定剤、香料製剤、アフターシェーブローション、化粧品製剤、ぼかし用途、夜用／昼用スキンケア製剤、カラーリングのないヘア製剤、日焼け製剤、合成または非合成固形せっけん、液体ハンドソープ、毛穴パック、パーソナルケア用の不織布の応用、ベビーローション、ベビーバスおよびシャンプー、ベビーコンディショナー、髭剃り用剤、きゅうりの薄切り、スキンパッド、化粧落とし、洗顔製品、コールドクリーム、日焼け止め製品、ムース、スプリッツ、ペーストパックおよび泥、フェイスマスク、コロンおよび化粧水、ヘアキューティクルコート、シャワージェル、洗顔料およびボディソープ、洗い流すパーソナルケア製品、ジェル、フォームバス、スクラブ洗顔剤、収斂剤、ネイルコンディショナー、アイシャドースティック、フェイスまたはアイパウダー、リップクリーム、リップグロス、ヘアケアポンプスプレーおよび他の非エアロゾルスプレー、縮毛調整ジェル、ヘアリーブインコンディショナー、ヘアポマード、髪の絡みをほぐす製品、ヘア固定剤、ヘアブリーチ製品、スキンローション、プレシェーブローションおよび電気シェーバープレローション、無水型クリームおよびローション、油／水、水／油、多重、およびマクロおよびマイクロエマルジョン、耐水性クリームおよびローション、抗にきび製剤、マウスウォッシュ、マッサージオイル、歯磨き粉、クリアジェルおよびスティック、軟膏基剤、局所創傷治療製品、エアロゾルタルク、バリアスプレー、ビタミンおよびアンチエイジング製剤、ハーブ抽出製剤、バスソルト、バスおよびボディミルク、ヘアスタイリング補助剤、髪、目、ツメ、および肌への柔らかい固体の塗布、放出制御パーソナルケア製品、ヘアコンディショニングミスト、スキンケア保湿ミスト、肌用拭き取りティッシュ（繊維）、毛穴用拭き取り繊維、毛穴洗浄剤、シミ消し、スキンエクスフォリエーター、皮膚の落屑の促進剤、肌用ウェットティッシュおよびクロス、脱毛製剤、パーソナルケア潤滑剤、ネイルカラー製剤、日焼け止め、化粧品、ヘアケア製品、スキンケア製品、歯磨き粉、皮膚に塗布する医薬組成物の局所適用のドラッグデリバリーシステム、および上記の製品の少なくとも一つを含有する組み合わせを含有する、請求項１に記載の官能化イオン性シリコーンを含有するパーソナルケア製品。
【請求項２８】
請求項１に記載の官能化イオン性シリコーン、および防汚剤を含有する、防汚製品。
【請求項２９】
防汚剤が、一つまたはそれ以上のカチオン性防汚剤、金属イオン、有機金属錯体、４，５−ジクロロ−２−オクチル−２Ｈ−イソチアゾール−３−オン、塩化ベンザルコニウム、またはＺｉｎｅｂを含有する、請求項２８に記載の防汚製品。
【請求項３０】
塗料、構造的コーティング、石材コーティング、または船舶用塗装を含有する、請求項２８に記載の防汚製品。
【請求項３１】
請求項１に記載のポリオルガノシロキサン、一つまたはそれ以上の肥料、微量栄養素、殺虫剤、除草剤、殺鼠剤およびダニ殺虫剤を含有する群より選択される農業用物質を含有する、農業用製品。
【請求項３２】
肥料用コーティングを含有する、請求３１に記載の農業用製品。
【請求項３３】
請求３１に記載の農業用製品を含有する、種子コーティング。
【請求項３４】
請求項１に記載の官能化イオン性シリコーンを含有する、農業用物質のスーパースプレッダー。
【請求項３５】
用途が、自動車、家事、塗料、コーティング、洗濯洗剤、布地処理、石油・ガス、燃料電池、電子応用、農業、膜、接着剤、封止剤、射出成形用および圧縮成形用ゴム並びにプラスチック、および種々のシリコーン系ゴムからなる群より更に選択される、請求項２３に記載の用途。
【請求項３６】
石油・ガス製造において使用する炭化水素流体用の、０．０１％〜１００％の請求項１に記載の官能化イオン性シリコーンを含有する、流動添加剤。